(57)【要約】【課題】液晶テレビジョン受像機を支持する表示装置用スタンドにおいて、液晶テレビジョン受像機の安定性を増す。【解決手段】液晶テレビジョン受像機３が支持される支柱部分２を有しており、支柱部分２の下側には、台座部分４が着脱自在に連結されている。台座部分４は、奥行き方向に伸縮自在となっている。これにより、地震や外力に対する液晶テレビジョン受像機３の安定性を増すことができる。液晶テレビジョン受像機３を床置き型から壁掛け型に変更して使用する場合でも、表示装置用スタンド１を取り付けたまま有効に利用できる。【選択図】図１
2008085919.tif 000002
【特許請求の範囲】
【請求項１】
表示装置が支持される支柱部分と、この支柱部分に取り付けられた台座部分とを有する側面視Ｌ字形の表示装置用スタンドであって、
前記台座部分は、奥行き方向に伸縮自在となっていることを特徴とする表示装置用スタンド。
【請求項２】
前記台座部分は、前記支柱部分に対して着脱自在となっていることを特徴とする請求項１に記載の表示装置用スタンド。
【請求項３】
前記台座部分の外周には、プロテクタが取り付けられていることを特徴とする請求項１または２に記載の表示装置用スタンド。
【請求項４】
前記プロテクタは、弾性素材から構成されていることを特徴とする請求項３に記載の表示装置用スタンド。
【請求項５】
前記プロテクタは、前記台座部分の底面から浮上していることを特徴とする請求項３または４に記載の表示装置用スタンド。
【請求項６】
前記プロテクタの浮上量は、ユーザの足の指先の厚みより少ないことを特徴とする請求項５に記載の表示装置用スタンド。
【請求項７】
前記プロテクタは、前記台座部分に対して着脱自在となっていることを特徴とする請求項３乃至６のいずれかに記載の表示装置用スタンド。
【請求項８】
請求項１乃至７のいずれかに記載の表示装置用スタンドを備えていることを特徴とするＡＶシステム。
【請求項９】
表示装置が支持される支柱部分と、この支柱部分に取り付けられた台座部分とを有する側面視Ｌ字形の表示装置用スタンドの安定性を向上させる安定性向上方法であって、
前記表示装置のサイズに応じて前記台座部分の長さを調整することを特徴とする安定性向上方法。
【発明の詳細な説明】
【技術分野】
【０００１】
本発明は、液晶テレビジョン受像機などの表示装置に適用される表示装置用スタンドと、この表示装置用スタンドを備えたＡＶシステムと、この表示装置用スタンドの安定性を向上させる安定性向上方法とに関するものである。
【背景技術】
【０００２】
従来、この種の表示装置としては、フラットディスプレイパネル１４の背部に支承部１６が回転自在に取り付けられ、この支承部１６がベーススタンド１８の開口部２０に収容されたフラットディスプレイが提案されていた（例えば、特許文献１参照）。
【特許文献１】特開２００１−２８２１１５号公報（第３頁左欄第３６〜４３行、図１）
【発明の開示】
【発明が解決しようとする課題】
【０００３】
しかし、これでは次のような課題があった。
【０００４】
第１に、ベーススタンド１８の形状やサイズは、フラットディスプレイパネル１４のサイズに合わせてそれぞれ専用で設けられている。そのため、地震や外力に対するフラットディスプレイパネル１４の安定性をさらに向上させるには、ベーススタンド１８に重石を付設したり、ベーススタンド１８やフラットディスプレイパネル１４を固定したりする必要がある。
【０００５】
第２に、フラットディスプレイパネル１４を壁に掛けて使用する場合は、専用のアダプターを準備し、ベーススタンド１８に付け替えて壁に取り付ける。したがって、フラットディスプレイパネル１４を性能アップやサイズアップのために交換する場合には、ベーススタンド１８ごと交換する必要があり、居室の模様替えなどでフラットディスプレイパネル１４を壁掛け型に変更して使用する場合、新たにアダプターを取り付け直す必要がある。
【０００６】
第３に、ベーススタンド１８の台座は、ユーザ（視聴者）が触れたり、躓いたりしても怪我をしにくいよう、角に丸みが付けられているものの、硬質のプラスチック等でできているため、強く当たれば怪我をする恐れがある。
【０００７】
本発明は、こうした課題を解決することが可能な、表示装置用スタンド、ＡＶシステムおよび安定性向上方法を提供することを目的とする。
【課題を解決するための手段】
【０００８】
本発明に係る表示装置用スタンドでは、表示装置が支持される支柱部分と、この支柱部分に取り付けられた台座部分とを有する側面視Ｌ字形の表示装置用スタンドであって、前記台座部分は、奥行き方向に伸縮自在となっていることを特徴とする。
本発明に係る表示装置用スタンドでは、前記台座部分は、前記支柱部分に対して着脱自在となっていることを特徴とする。
本発明に係る表示装置用スタンドでは、前記台座部分の外周には、プロテクタが取り付けられていることを特徴とする。
本発明に係る表示装置用スタンドでは、前記プロテクタは、弾性素材から構成されていることを特徴とする。
本発明に係る表示装置用スタンドでは、前記プロテクタは、前記台座部分の底面から浮上していることを特徴とする。
本発明に係る表示装置用スタンドでは、前記プロテクタの浮上量は、ユーザの足の指先の厚みより少ないことを特徴とする。
本発明に係る表示装置用スタンドでは、前記プロテクタは、前記台座部分に対して着脱自在となっていることを特徴とする。
本発明に係るＡＶシステムでは、上記表示装置用スタンドを備えていることを特徴とする。
本発明に係る安定性向上方法では、表示装置が支持される支柱部分と、この支柱部分に取り付けられた台座部分とを有する側面視Ｌ字形の表示装置用スタンドの安定性を向上させる安定性向上方法であって、前記表示装置のサイズに応じて前記台座部分の長さを調整することを特徴とする。
【発明の効果】
【０００９】
本発明によれば、台座部分が奥行き方向に伸縮自在となっていることから、地震や外力に対する表示装置の安定性を増すことができる。また、表示装置を交換する場合でも、表示装置用スタンドを無駄にすることがない。
【００１０】
また、台座部分を支柱部分に対して着脱自在とすると、表示装置を床置き型から壁掛け型に変更して使用する場合でも、表示装置用スタンドを取り付けたまま有効に利用でき、付け替えの手間も不要となる。
【００１１】
さらに、台座部分の外周にプロテクタを取り付けると、ユーザの足等が台座部分に強く接触したとしても怪我をする恐れがなく、安全性に優れる。
【発明を実施するための最良の形態】
【００１２】
以下、本発明の実施形態を図面に基づいて説明する。
【００１３】
＜第１の実施形態＞
図１は本発明に係る表示装置用スタンドの第１の実施形態を示す斜視図、図２は図１の表示装置用スタンドの台座部分が伸びた状態を示す図であって、（ａ）はその底面図、（ｂ）はその右側面図、図３は図１の表示装置用スタンドの台座部分が縮んだ状態を示す図であって、（ａ）はその底面図、（ｂ）はその右側面図である。
【００１４】
表示装置用スタンド１は、図１に示すように、液晶テレビジョン受像機３が支持される矩形フレーム状の支柱部分２を有しており、支柱部分２の下部には２個の脚部２１、２１が下向きに形成されている。
【００１５】
また、支柱部分２の下側には、図１に示すように、台座部分４が着脱自在に連結されている。すなわち、台座部分４は平板状の基板４１を有しており、基板４１の上面には左右一対の支柱受け金具４４、４４が取り付けられている。そして、これらの支柱受け金具４４、４４には支柱部分２の脚部２１、２１が差し込まれて支柱固定ピン７でそれぞれ固定されている。そのため、支柱固定ピン７を抜き取れば、支柱部分２から台座部分４を取り外すことができる。
【００１６】
また、台座部分４は、奥行き方向に伸縮自在となっている。すなわち、台座部分４の基板４１の前方下部には、図２および図３に示すように、前方スライド板４２が矢印Ａ、Ｂ方向（奥行き方向）に進退自在に装着されている。ここで、基板４１には左右一対の前方ガイドピン４１ａ、４１ａが突設されているとともに、前方スライド板４２には左右一対の長円形のガイド溝４２ａ、４２ａが形成されており、各ガイド溝４２ａは各前方ガイドピン４１ａに係合している。そのため、前方スライド板４２を基板４１に対して円滑にスライドさせることができる。一方、台座部分４の基板４１の後方下部には、後方スライド板４３が矢印Ｃ、Ｄ方向（奥行き方向）に進退自在に装着されている。ここで、基板４１には左右一対の後方ガイドピン４１ｂ、４１ｂが突設されているとともに、後方スライド板４３には左右一対の長円形のガイド溝４３ａ、４３ａが形成されており、各ガイド溝４３ａは各後方ガイドピン４１ｂに係合している。そのため、後方スライド板４３を基板４１に対して円滑にスライドさせることができる。
【００１７】
このように、表示装置用スタンド１においては、台座部分４が奥行き方向に伸縮自在となっているので、地震や外力に対する液晶テレビジョン受像機３の安定性を増すことができる。また、液晶テレビジョン受像機３をサイズアップ等で交換する場合には、液晶テレビジョン受像機３のみ交換すればよく、表示装置用スタンド１は、液晶テレビジョン受像機３のサイズに見合った長さに台座部分４を伸ばしてそのまま使用できるので、無駄なく活用することができる。
【００１８】
また、表示装置用スタンド１は、台座部分４が支柱部分２に対して着脱自在となっているため、液晶テレビジョン受像機３を床置き型から壁掛け型に変更して使用する場合には、表示装置用スタンド１の台座部分４を取り外し、支柱部分２を壁に付属のフック等で係止させることができる。その結果、表示装置用スタンド１を取り付けたまま有効に利用することができ、付け替えの手間も不要となる。
【００１９】
＜第２の実施形態＞
図４は本発明に係る表示装置用スタンドの第２の実施形態の台座部分が伸びた状態を示す図であって、（ａ）はその底面図、（ｂ）はその右側面図、図５は図４の表示装置用スタンドの台座部分が縮んだ状態を示す図であって、（ａ）はその底面図、（ｂ）はその右側面図である。
【００２０】
表示装置用スタンド１は、図４および図５に示すように、台座部分４を備えており、台座部分４はコの字形板状の基板４１を有している。基板４１の前方下部には、左右一対の前方スライド板４２が、それぞれ矢印Ａ、Ｂ方向（奥行き方向）に進退自在に装着されている。ここで、基板４１には前方係合孔４１ｃが５個ずつ水平に穿設されているとともに、各前方スライド板４２にはそれぞれ係合孔（図示せず）が水平に穿設されている。そして、この係合孔をいずれかの前方係合孔４１ｃに合致させて前方スライド板固定ピン１２を差し込むことにより、基板４１に対して各前方スライド板４２を任意の位置で固定することができる。
【００２１】
一方、台座部分４の基板４１の後方下部には、図４および図５に示すように、左右一対の後方スライド板４３が、それぞれ矢印Ｃ、Ｄ方向（奥行き方向）に進退自在に装着されている。ここで、基板４１には後方係合孔４１ｄが２個ずつ水平に穿設されているとともに、各後方スライド板４３にはそれぞれ係合孔（図示せず）が水平に穿設されている。そして、この係合孔をいずれかの前方係合孔４１ｃに合致させて後方スライド板固定ピン１３を差し込むことにより、基板４１に対して各後方スライド板４３を任意の位置で固定することができる。
【００２２】
その他の構成については、第１の実施形態と同様であるので、同一の符号を付してその説明を省略する。
【００２３】
このように、第２の実施形態では、第１の実施形態と比べて、前方スライド板４２および後方スライド板４３の枚数が異なるのみであり、その他の構成は変わらないので、第１の実施形態と同様な作用効果を奏する。
【００２４】
＜第３の実施形態＞
図６は本発明に係る表示装置用スタンドの第３の実施形態を示す図であって、（ａ）はその正面図、（ｂ）はその右側面図、（ｃ）は台座部分の平面図である。
【００２５】
表示装置用スタンド１は、図６に示すように、液晶テレビジョン受像機３が支持される支柱部分２を有しており、支柱部分２の下側には平板状の台座部分４が側面視Ｌ字形に連設されている。台座部分４は奥行き方向に伸縮自在となっており、台座部分４の外周（前側および左右両側）には、合成ゴムなどの弾性素材からなるプロテクタ９が取り付けられている。プロテクタ９の浮上量Ｈ１は、ユーザの足の指先の厚みより少なくなっている。
【００２６】
また、支柱部分２には周辺機器ユニット６が、図６（ａ）（ｂ）に示すように、液晶テレビジョン受像機３の下方に位置して液晶テレビジョン受像機３よりセットバックする形で垂直に、つまり奥行きが最小となる姿勢で、かつ支柱部分２の横方向から挿抜する形で着脱自在に取り付けられている。さらに、周辺機器ユニット６の前面にはカバー８が、周辺機器ユニット６の前面を覆うように取り付けられている。
【００２７】
したがって、この表示装置用スタンド１では、第１の実施形態と同様な作用効果を奏することに加えて、次のような作用効果を奏する。
【００２８】
すなわち、液晶テレビジョン受像機３のサイズ（重量）に応じて台座部分４が前方に伸びると、ユーザの足等が台座部分４に接触しやすくなる。しかし、表示装置用スタンド１では、台座部分４の外周にプロテクタ９が取り付けられているため、たとえユーザの足等が台座部分４に強く接触したとしても怪我をする恐れがない。したがって、地震や外力に対する液晶テレビジョン受像機３の安定性を増しつつ、人に優しい安全設計を実現することができる。
【００２９】
しかも、プロテクタ９の浮上量Ｈ１は、ユーザの足の指先の厚みより少ないので、表示装置用スタンド１が設置された床面とプロテクタ９との隙間にユーザの足の指先が入り込む事態を回避できることから、ますます安全性が高まる。
【００３０】
また、周辺機器ユニット６はカバー８で覆われているため、周辺機器ユニット６を取り外したときにも外観上の見栄えを保つことができる。
【００３１】
＜第４の実施形態＞
図７は本発明に係る表示装置用スタンドの第４の実施形態を示す図であって、（ａ）はその正面図、（ｂ）はその右側面図、（ｃ）は台座部分の平面図である。
【００３２】
上述した第３の実施形態においては、台座部分４の前側および左右両側にプロテクタ９を設けた場合について説明したが、表示装置用スタンド１の設置状況などによっては、図７に示すように、プロテクタ９の前側近傍にのみプロテクタ９を設けるようにしても構わない。
【００３３】
＜その他の実施形態＞
上述した各実施形態においては、表示装置として液晶テレビジョン受像機３を取り上げて説明したが、液晶テレビジョン受像機３以外の表示装置（例えば、ＰＤＰ（プラズマディスプレイパネル）、有機ＥＬ（エレクトロルミネセンス）ディスプレイ、ＳＥＤ（表面電界ディスプレイ）など）に本発明を適用することも可能である。
【図面の簡単な説明】
【００３４】
【図１】本発明に係る表示装置用スタンドの第１の実施形態を示す斜視図である。
【図２】図１の表示装置用スタンドの台座部分が伸びた状態を示す図であって、（ａ）はその底面図、（ｂ）はその右側面図である。
【図３】図１の表示装置用スタンドの台座部分が縮んだ状態を示す図であって、（ａ）はその底面図、（ｂ）はその右側面図である。
【図４】本発明に係る表示装置用スタンドの第２の実施形態の台座部分が伸びた状態を示す図であって、（ａ）はその底面図、（ｂ）はその右側面図である。
【図５】図４の表示装置用スタンドの台座部分が縮んだ状態を示す図であって、（ａ）はその底面図、（ｂ）はその右側面図である。
【図６】本発明に係る表示装置用スタンドの第３の実施形態を示す図であって、（ａ）はその正面図、（ｂ）はその右側面図、（ｃ）は台座部分の平面図である。
【図７】本発明に係る表示装置用スタンドの第４の実施形態を示す図であって、（ａ）はその正面図、（ｂ）はその右側面図、（ｃ）は台座部分の平面図である。
【符号の説明】
【００３５】
１……表示装置用スタンド
２……支柱部分
２１……脚部
３……液晶テレビジョン受像機（表示装置）
４……台座部分
４１……基板
４１ａ……前方ガイドピン
４１ｂ……後方ガイドピン
４１ｃ……前方係合孔
４１ｄ……後方係合孔
４２……前方スライド板
４２ａ……ガイド溝
４３……後方スライド板
４３ａ……ガイド溝
４４……支柱受け金具
６……周辺機器ユニット
７……支柱固定ピン
８……カバー
９……プロテクタ
１２……前方スライド板固定ピン
１３……後方スライド板固定ピン
Ｈ１……プロテクタの浮上量
【図１】
2008085919.tif 000003
【図２】
2008085919.tif 000004
【図３】
2008085919.tif 000005
【図４】
2008085919.tif 000006
【図５】
2008085919.tif 000007
【図６】
2008085919.tif 000008
【図７】
2008085919.tif 000009